(57)【要約】　　　（修正有）【課題】埋込み状態でブロック形部品を簡単に取付けできる部材を提供する。【解決手段】窓１７を開口するカバー・トップ１３と、カバー・フロント１４と、その裏面１５、１６に形成され、上向き爪２０および縦案内溝２１を有する一対のブラケット・コネクション・フランジ１８、１８と、窓１７にブロック形部品４０を部分的に露呈させて組み付け可能にする樹脂カバー１１と、支持箇所に取り付けられるベース・プレート２２と、爪掛け穴２８、および前側のアーム縁に折り曲げられて内側のアーム側面２６に突き出される縦案内フランジ２９を有し、ベース・プレート２２の両端に折り曲げられてベース・プレート２２の上面２３に立ち上げられる一対の組み付けアーム２４、２４とで構成され、組付けアーム間に樹脂カバー１１の一対のブラケット・コネクション・フランジ１８、１８を差し込んで樹脂カバー１１を組み付ける埋込みブラケット１２とを含む。【選択図】　　　図１
2004058760.tif 000002
【特許請求の範囲】
【請求項１】
窓を開口するカバー・トップと、そのカバー・トップに一体的に形成されるカバー・フロントと、そのカバー・トップおよびカバー・フロントの裏面に所定の間隔で互いに向い合ってそのカバー・トップおよびカバー・フロントに一体的に形成され、そして、外側のフレランジ面に上向き爪および縦案内溝を有する一対のブラケット・コネクション・フランジとで構成され、そして、そのカバー・トップのその窓にブロック形部品を部分的に露呈させてその一対のブラケット・コネクション・フランジの間でそのカバー・トップおよびカバー・フロントにそのブロック形部品を組み付け可能にする樹脂カバーと、支持箇所に取り付けられるベース・プレートと、上端に折り曲げられて外側のアーム側面に突き出される保持フランジ、その保持フランジ寄りに開口される爪掛け穴、および前側のアーム縁に折り曲げられて内側のアーム側面に突き出される縦案内フランジを有し、そして、そのベース・プレートの両端に折り曲げられてそのベース・プレートの上面に立ち上げられる一対の組み付けアームとで構成され、そして、その一対の組付けアーム間にその樹脂カバーのその一対のブラケット・コネクション・フランジを差し込んでその樹脂カバーを組み付ける埋込みブラケットとを含むカバーおよびブラケットの組合せ。
【発明の詳細な説明】
【０００１】
【発明の関係する分野】
この発明は、埋込み状態で支持箇所にブロック形部品を簡単に取り付け可能にするカバー・およびブラケットの組合せに関する。
【０００２】
【背景技術】
例えば、パワー・シート・トラックが組み込まれる自動車シートでは、モータ・スイッチが埋込み状態でシート・クッションにねじ止めされるので、取付け作業が厄介になるに加えてそのモータ・スイッチまわりでトリム・カバー仕上げも厄介で見映えを確保するのが難しい。
【０００３】
【発明の課題】
この発明の課題は、埋込み状態で支持箇所にブロック形部品を簡単に取り付けでき、そして、そのブロック形部品のまわりでその指示箇所を簡単に仕上げできて見映えを向上するところのカバーおよびブラケットの組合せの提供にある。
【０００４】
【課題に相応する手段およびそれの作用】
この発明は、窓を開口するカバー・トップと、そのカバー・トップに一体的に形成されるカバー・フロントと、そのカバー・トップおよびカバー・フロントの裏面に所定の間隔で互いに向い合ってそのカバー・トップおよびカバー・フロントに一体的に形成され、そして、外側のフレランジ面に上向き爪および縦案内溝を有する一対のブラケット・コネクション・フランジとで構成され、そして、そのカバー・トップのその窓にブロック形部品を部分的に露呈させてその一対のブラケット・コネクション・フランジの間でそのカバー・トップおよびカバー・フロントにそのブロック形部品を組み付け可能にする樹脂カバーと、支持箇所に取り付けられるベース・プレートと、上端に折り曲げられて外側のアーム側面に突き出される保持フランジ、その保持フランジ寄りに開口される爪掛け穴、および前側のアーム縁に折り曲げられて内側のアーム側面に突き出される縦案内フランジを有し、そして、そのベース・プレートの両端に折り曲げられてそのベース・プレートの上面に立ち上げられる一対の組み付けアームとで構成され、そして、その一対の組付けアーム間にその樹脂カバーのその一対のブラケット・コネクション・フランジを差し込んでその樹脂カバーを組み付ける埋込みブラケットとを含み、そして、予めその支持箇所にその埋込みブラケットを止め、それからその樹脂カバーのそのカバー・トップのその裏面がその埋込みブラケットのその支持フランジに接するまでその埋込みブラケットにその樹脂カバーを差し込んで組み付ける。
【０００５】
【具体例の説明】
以下、特定されて図示された具体例に基づいて、この発明カバーおよびブラケットの組合せを説明するに、図１ないし図５は、自動車のドライバ・シートに活用されるところのこの発明のカバーおよびブラケットの組合せの具体例１０を示し、そして、そのドライバ・シートがパワー・シート・トラックを組み込むので、そのカバーおよびブラケットの組合せ１０は、そのパワー・シート・トラック（図示せず）のモータ・スイッチ４０をシート・クッション（図示せず）の埋込み穴（図示せず）にはめ込んでシート・クッション・フレーム（図示せず）に取り付けるのに活用される。
【０００６】
そのカバーおよびブラケットの組合せ１０は、樹脂カバー１１および埋込みブラケット１２で組み立てられ、そして、その樹脂カバー１１は、窓１７を開口するカバー・トップ１３と、そのカバー・トップ１３に一体的に形成されるのカバー・フロント１４と、そのカバー・トップ１３およびカバー・フロント１４の裏面１５、１６に所定の間隔で互いに向い合ってそのカバー・トップ１３およびカバー・フロント１４に一体的に形成され、そして、外側のフランジ面１９に上向き爪２０および縦案内溝２１を有する一対のブラケット・コネクション・フランジ１８、１８とで構成され、そして、そのカバー・トップ１３のその窓１７にそのモータ・スイッチ（ブロック形部品）４０を部分的に露呈させてその一対のブラケット・コネクション・フランジ１８、１８の間でそのカバー・トップ１３およびカバー・フロント１４にそのモータ・スイッチ４０を組み付ける。
【０００７】
その埋込みブラケット１２は、そのシート・クッションのその埋込み穴のところでそのシート・クッション・フレーム（支持箇所）にねじ止めされるベース・プレート２２と、そのベース・プレート２２の両端に折り曲げられてそのベース・プレート２２の上面２３に立ち上げられる一対の組付けアーム２４、２４とで構成される。そして、その一対の組付けアーム２４、２４のそれぞれは、上端に折り曲げられて外側のアーム側面２５に突き出される保持フランジ２７、その保持フランジ寄りに開口される爪掛け穴２８、前側のアーム縁に折り曲げられて内側のアーム側面２６に突き出される縦案内フランジ２９、および後側のアーム縁に折り曲げられてその内側のアーム側面２６に突き出される外れ止めフランジ３０を備える。
【０００８】
さらに、その埋込みブラケット１２は、そのベース・プレート２２のセンタに組付けフランジ３１および切欠き穴３２を備え、そして、その組付けフランジ３１でそのシート・クッション・フレームに止められ、また、その切欠き穴３２にケーブル４１を通してそのパワー・シート・トラックの電気回路にそのケーブル４１を接続してその電気回路にそのモータ・スイッチ４０をつなぐ。
【０００９】
したがって、そのカバーおよびブラケットの組合せ１０では、予めその樹脂カバー１１が、そのもたー・スイッチ４０を組み付けてその埋込みブラケット１２のその切欠き穴３２にそのケーブル４１を通した状態にされ、そして、その状態でその埋込みブラケット１２が、そのシート・クッションのその埋込み穴にはめ込み、そして、その組付けフランジ３１でそのシート・クッション・フレームに止められる。それからその樹脂カバー１１がその埋込みブラケット１２のその一対の組付けアーム２４、２４の間にその一対のブラケット・コネクション・フランジ１８、１８をはめ合わせてその埋込みブラケット１２のその一対の保持フランジ２７、２７にそのカバー・トップ１３のその裏面１５を当てるまでその埋込みブラケット１２を押し込む。そこで、その一対の上向き爪２０、２０がスナップ・アクションでその一対の爪掛け穴２８、２８に対応的に引っ掛けられてその樹脂カバー１１はその埋込みブラケット１２に一体的に組み付けられる。そのようにして、そのカバーおよびブラケットの組合せ１０は、埋込み穴にそのモータ・スイッチ４０をはめ込んで埋込み状態でそのシート・クッションにそのモータ・スイッチ４０を簡単に取り付け、また、そのシート・クッションにおいてその埋込み穴のまわりのトリム・カバーを押え付け、そして、そのシート・クッションを簡単に仕上げてそのシート・クッションの外観仕上り、すなわち、見映えを向上する。
【００１０】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ　ｃｏｍｍｅｎｓｕｒａｔｅ　ｗｉｔｈ）、そして、その発明の成立に必須である。
【００１１】
【発明の便益】
上述から理解されるように、この発明のカバーおよびブラケットの組合せは、窓を開口するカバー・トップと、そのカバー・トップに一体的に形成されるカバー・フロントと、そのカバー・トップおよびカバー・フロントの裏面に所定の間隔で互いに向い合ってそのカバー・トップおよびカバー・フロントに一体的に形成され、そして、外側のフレランジ面に上向き爪および縦案内溝を有する一対のブラケット・コネクション・フランジとで構成され、そして、そのカバー・トップのその窓にブロック形部品を部分的に露呈させてその一対のブラケット・コネクション・フランジの間でそのカバー・トップおよびカバー・フロントにそのブロック形部品を組み付け可能にする樹脂カバーと、支持箇所に取り付けられるベース・プレートと、上端に折り曲げられて外側のアーム側面に突き出される保持フランジ、その保持フランジ寄りに開口される爪掛け穴、および前側のアーム縁に折り曲げられて内側のアーム側面に突き出される縦案内フランジを有し、そして、そのベース・プレートの両端に折り曲げられてそのベース・プレートの上面に立ち上げられる一対の組み付けアームとで構成され、そして、その一対の組付けアーム間にその樹脂カバーのその一対のブラケット・コネクション・フランジを差し込んでその樹脂カバーを組み付ける埋込みブラケットとを含むので、この発明のカバーおよびブラケットの組合せでは、そのブラケット形部品がその支持箇所に埋込み状態に簡単に取り付けられ、そして、その支持箇所がそのブロック形部品のまわりで簡単に仕上げられて見映えが向上され、その結果、種々のブロック形部品の取付けに非常に有用で実用的である。
【図面の簡単な説明】
【図１】自動車のドライバ・シートに活用されるところのこの発明のカバーおよびブラケットの組合せの具体例を示した分解背面図である。
【図２】樹脂カバーを示した上面図である。
【図３】図１の３−３線に沿って示した断面図である。
【図４】埋込みブラケットを示した上面図である。
【図５】その埋込みブラケットを示した側面図である。
【符号の説明】
１１　樹脂カバー
１２　埋込みブラケット
１３　カバー・トップ
１４　カバー・フロント
１５　裏面
１６　裏面
１７　窓
１８　ブラケット・コネクション・フランジ
１９　外側のフランジ面
２０　上向き爪
２１　縦案内溝
２２　ベース・プレート
２３　上面
２４　組付けアーム
２５　外側のアーム側面
２６　内側のアーム側面
２７　保持フランジ
２８　爪掛け穴
２９　縦案内フランジ
４０　ブロック形部品／モータ・スイッチ
【図１】
2004058760.tif 000003
【図２】
2004058760.tif 000004
【図３】
2004058760.tif 000005
【図４】
2004058760.tif 000006
【図５】
2004058760.tif 000007